(57)【特許請求の範囲】
【請求項１】
表面側壁体と裏面側壁体とを対向させ、周縁部を接合して形成された包装袋において、
前記表面側壁体及び前記裏面側壁体は、それぞれ、内面側の熱融着性不織布と、外面側の水蒸気遮断性フィルムとが重ね合わされて形成され、
これら熱融着性不織布と水蒸気遮断性フィルムとは、その周縁部が互いに接合されていると共に、周縁部に囲まれた領域の一部に互いに接合されていない非接合部を有して、
前記水蒸気遮断性フィルムの前記非接合部に蒸気抜き孔が設けられていることを特徴とする包装袋。
【請求項２】
前記非接合部が、縦横４ｍｍ以上の矩形パターンを有することを特徴とする請求項１に記載の包装袋。
【請求項３】
前記熱融着性不織布と水蒸気遮断性フィルムとの間に、熱接着性樹脂層が配置されていることを特徴とする請求項１又は２に記載の包装袋。
【発明の詳細な説明】
【技術分野】
【０００１】
本発明は包装袋に関する。この包装袋は、例えば、内容物を包装したまま電子レンジで加熱して調理する電子レンジ加熱調理用包装袋として利用できる。
【背景技術】
【０００２】
包装袋中に食品内容物を包装したまま電子レンジで加熱して調理するときには、加熱に伴って食品内容物から水蒸気が発生することから、この水蒸気を包装袋の外部に放出することが必要になる。このような蒸気抜き機構には多種類のものが知られており、例えば、電子レンジ加熱に伴う内圧の上昇によって包装袋の一部が剥離し、この剥離位置に設けられた蒸気抜き孔から水蒸気を放出する機構がある。
【０００３】
特許文献１は不織布を利用した蒸気抜き機構を開示している。この特許文献１では、外層を基材シートとし、この内側に防湿性樹脂層を介して吸油吸水性のシートを配置している。吸油吸水性シートは、パルプ繊維層と熱融着性不織布とが、互いにその繊維を絡み合わせることによって積層された積層シートである。そして、包装袋の内面はこの熱融着性不織布で構成されている。
【０００４】
内面の熱融着性不織布同士を重ね合わせて熱融着すると、この不織布の表面を構成する繊維が破壊されて包装袋内部を密閉することができる。次にこの包装袋を電子レンジ加熱すると、不織布表面の熱溶融着部分が破壊され、内圧の上昇に伴ってパルプ繊維層と熱融着性不織布とが剥離して包装袋外部に連通する。そして、この連通孔から水蒸気が放出される。
【０００５】
なお、この包装袋においては、内容物から油成分が滲み出しても、この油成分をパルプ繊維層と熱融着性不織布とが吸収する。
【先行技術文献】
【特許文献】
【０００６】
【特許文献１】実用新案登録第２５２９５５８号公報
【発明の概要】
【発明が解決しようとする課題】
【０００７】
ところで、このように包装袋中に食品内容物を包装したまま電子レンジで加熱して調理するときには、内容物の加熱に伴って包装袋の外面も高温になる。そして、外面が高温になった包装袋は素手で持つことが困難なのである。特許文献１に記載の包装袋は内面に不織布を配置しているため、包装袋外面の温度上昇が緩和されるが、それでもまだ十分とはいえない。この包装袋においても、電子レンジ加熱に伴って包装袋外面が素手で持ちにくいほど高温になるのである。
【０００８】
そこで、本発明は、電子レンジで加熱した場合にも、外面が高温にならず、取り扱いが容易な包装袋を提供することを目的とする。
【課題を解決するための手段】
【０００９】
すなわち、請求項１に記載の発明は、表面側壁体と裏面側壁体とを対向させ、周縁部を接合して形成された包装袋において、
前記表面側壁体及び前記裏面側壁体は、それぞれ、内面側の熱融着性不織布と、外面側の水蒸気遮断性フィルムとが重ね合わされて形成され、
これら熱融着性不織布と水蒸気遮断性フィルムとは、その周縁部が互いに接合されていると共に、周縁部に囲まれた領域の一部に互いに接合されていない非接合部を有して、
前記水蒸気遮断性フィルムの前記非接合部に蒸気抜き孔が設けられていることを特徴とする包装袋である。
【００１０】
次に、請求項２に記載の発明は、前記非接合部が、縦横４ｍｍ以上の矩形パターンを有することを特徴とする請求項１に記載の包装袋である。
【００１１】
次に、請求項３に記載の発明は、前記熱融着性不織布と水蒸気遮断性フィルムとの間に、熱接着性樹脂層が配置されていることを特徴とする請求項１又は２に記載の包装袋である。
【発明の効果】
【００１３】
本発明の包装袋は、内面側の熱融着性不織布と外面側の耐熱性フィルムとの間に、両者が接合されていない非接合部を設けている。本発明の包装袋では、内面側の熱融着性不織布が断熱性を有するのに加えて、非接合部も断熱性を発揮するため、電子レンジ加熱によって包装袋内部が高温になった場合でも、包装袋の外面の温度上昇が抑制される。このため、安全かつ容易に素手で取り扱うことができる。
【図面の簡単な説明】
【００１４】
【図１】図面の図１は本発明の具体例に係り、図１（ａ）はその正面図、図１（ｂ）は、その一部を誇張して図示した縦断面説明図である。
【発明を実施するための形態】
【００１５】
次に、図面を参照して本発明の具体例を説明する。
【００１６】
この例は四方シール袋の例である。この袋は、図１（ｂ）から分かるように、表面側壁体１と裏面側壁体２とを対向させ、周縁部を接合して形成したもので、図１（ａ）及び（ｂ）でａは周縁接合部を示している。
【００１７】
そして、表面側壁体１は、包装袋の内面側に熱融着性不織布１１を有しており、外面側に水蒸気遮断性フィルム１３を有している。熱融着性不織布１１は、周縁接合部ａで裏面側壁体２に接合すると共に、水蒸気や空気の透過を可能とするものである。一方、水蒸気遮断性フィルム１３は水蒸気の透過を防止するものである。そして、この水蒸気遮断性フィルム１３には、電子レンジ加熱の際に水蒸気を包装袋外部に放出する蒸気抜き孔１３ｘが設けられている。
【００１８】
そして、この例では、熱融着性不織布１１に熱接着性樹脂が塗布されている。この熱接着性樹脂層１２は熱融着性不織布１１と水蒸気遮断性フィルム１３とを互いに接合する機能を有している。そして、この熱接着性樹脂層１２により熱融着性不織布１１と水蒸気遮断性フィルム１３とは、一部の非接合部１ａを除いて、互いに接合されている。図から分かるように、表面側壁体１の周縁部は、熱融着性不織布１１と水蒸気遮断性フィルム１３とが互いに接合した接合部１ｂである。そして、この周縁部で囲まれた領域も、一部の非接合部１ａを除いて、熱融着性不織布１１と水蒸気遮断性フィルム１３とが互いに接合した接合部１ｂである。この例では、非接合部１ａは矩形パターンを有している。このように非接合部１ａが矩形パターンの場合では、縦横４ｍｍ以上の矩形パターンであることが望ましい。なお、図１（ｂ）では、説明の便宜のため、この非接合部１ａにおいて熱融着性不織布１１と水蒸気遮断性フィルム１３とを互いに離隔して表示している。
【００１９】
また、この例では、熱接着性樹脂層１２を熱融着性不織布１１に塗布しているが、水蒸気遮断性フィルム１３に塗布してもよい。いずれの場合でも、熱接着性樹脂層１２は水蒸気を透過する孔のない無孔性の樹脂層であることが望ましい。また、この熱接着性樹脂層１２は、電子レンジ加熱の際に、その熱と内圧によって破断して、水蒸気を透過させるものであることが望ましい。
【００２０】
次に、裏面側壁体２も表面側壁体１と同様の積層構造を有している。すなわち、裏面側壁体２は、内面側に熱接着性樹脂層２２を塗布した熱融着性不織布２１を有しており、外面側に水蒸気遮断性フィルム２３を有している。そして、これらは、その周縁部が互いに接合されており、また、周縁部に囲まれた領域でも非接合部２ａを除いて互いに接合されている。もっとも、この裏面側壁体２の水蒸気遮断性フィルム２３には蒸気抜き孔は設けられていない。このため、後述するように、この裏面側壁体２が下側に位置し、表面側壁体１が上方を向くように電子レンジ中に載置して加熱すると、発生した水蒸気は、包装体上面の蒸気抜き孔１３ｘから放出される。下側に位置する裏面側壁体２には蒸気抜き孔がないため、下側から水蒸気が放出されることはなく、また、食品内容物の漏れも生じない。
【００２１】
次に、水蒸気遮断性フィルム１３，２３としては、マイクロ波を透過して、しかも、耐熱性に優れるフィルムを使用することができる。例えば、ポリエステルフィルムやポリアミドフィルム等の耐熱性水蒸気遮断性プラスチックフィルムである。また、これらプラスチックフィルムに、酸化ケイ素や酸化アルミニウム等の無機酸化物の蒸着層を設けた蒸着フィルムを使用することも可能である。また、これらプラスチックフィルムや蒸着フィルムの外面側に紙を積層した積層体であってもよい。
【００２２】
また、熱融着性不織布１１，２１としては、熱融着性の繊維を混抄した混抄紙を好適に使用することができる。例えば、ポリエチレン繊維を混抄したポリエチレン繊維混抄紙である。ポリエチレン繊維混抄紙には、乾式混抄紙と湿式混抄紙との区別があるが、そのいずれであっても使用可能である。なお、乾式ポリエチレン繊維混抄紙は、機械でウエブ状に形成した後、針でつついたり、熱で溶かすことにより、繊維を互いに結合して製造した混抄紙である。また、湿式ポリエチレン繊維混抄紙は、水と繊維をネット上に漉き上げ、圧縮又は加熱して脱水することによって製造した混抄紙である。
【００２３】
熱接着性樹脂層１２，２２としては、熱によって熱融着性不織布１１，２１及び水蒸気遮断性フィルム１３，２３の両者に接合する性質を有し、かつ、電子レンジ加熱の際にその熱と内圧によって破断する性質を有するものが好適に使用できる。例えば、ポリエチレンである。
【００２４】
これら熱融着性不織布１１，２１、熱接着性樹脂層１２，２２、水蒸気遮断性フィルム１３，２３の三者を積層するためには、例えば、熱融着性不織布１１，２１の片面に熱接着性樹脂を溶融押出しコーティングして熱接着性樹脂層１２，２２を形成した後、この熱接着性樹脂層１２，２２に水蒸気遮断性フィルム１３，２３を重ね、前記接合部１ｂ，２ｂを熱圧して積層すればよい。また、水蒸気遮断性フィルム１３，２３の片面に溶融押出しコーティングして熱接着性樹脂層１２，２２を形成した後、熱融着性不織布１１，２１を重ね、前記接合部１ｂ，２ｂを熱圧して積層してもよい。
【００２５】
また、蒸気抜き孔１３ｘは、機械的穿孔やレーザー照射によって設けることができる。例えば、機械的穿孔やレーザー照射によって水蒸気遮断性フィルム１３に蒸気抜き孔１３ｘを設けた後、これに熱融着性不織布１１及び熱接着性樹脂層１２を積層することによって、この例に示す表面側壁体１を製造することが可能である。
【００２６】
また、水蒸気遮断性フィルム１３がポリエステルフィルムから成り、熱接着性樹脂層１２がポリエチレンから構成されている場合には、熱融着性不織布１１、熱接着性樹脂層１２、水蒸気遮断性フィルム１３の三者を積層した後、水蒸気遮断性フィルム１３側から炭酸ガスレーザーを照射することにより、蒸気抜き孔１３ｘを形成することができる。ポリエステルフィルムはレーザー光を吸収して発熱し、この熱によって蒸気抜き孔１３ｘを形成する。一方、ポリエチレンはレーザー光を吸収することなく透過するから、このポリエチレン製熱接着性樹脂層１２には孔が生じることなく、無孔性のまま維持される。このように、ポリエチレン製熱接着性樹脂層１２には孔がなく、ポリエステル製水蒸気遮断性フィルム１３に蒸気抜き孔１３ｘを形成することができるのである。
【００２７】
この包装袋は、食品内容物を密封したまま、電子レンジ中で加熱して調理することができる。この例では、包装袋は四方シール袋であるため、蒸気抜き孔１３ｘを有する表面側壁体１が上方に位置するように電子レンジ中に載置して加熱調理することが望ましい。加熱に伴って包装袋内部が高温高圧になり、水蒸気が発生する。そして、この熱圧によって熱接着性樹脂層１２，２２が破断し、非接合部１ａ，２ａの熱接着性樹脂層１２，２２と水蒸気遮断性フィルム１３，２３との間に加熱水蒸気が流入して外側に膨らみ、次に蒸気抜き孔１３ｘを通って包装袋外部に水蒸気が放出される。そして、このように熱接着性樹脂層１２，２２と水蒸気遮断性フィルム１３，２３との間に加熱水蒸気が流入するにも拘わらず、膨らんだ非接合部１ａ，２ａの断熱性及び熱融着性不織布１１，２１自体の断熱性のため、包装体の外面の温度上昇が抑制されて、高温になり難いのである。
【００２８】
以上、四方シール袋を例として本発明を説明したが、これに限らず、任意の形態の包装袋であってよいことは明らかである。三方シール袋、ピロー袋、スタンディングパウチ、ガゼット袋等である。
【符号の説明】
【００２９】
１：表面側壁体    １１：熱融着性不織布    １２：熱接着性樹脂層    １３：水蒸気遮断性フィルム    １ａ：非接合部    １ｂ：接合部    １３ｘ：蒸気抜き孔
２：裏面側壁体    ２１：熱融着性不織布    ２２：熱接着性樹脂層    ２３：水蒸気遮断性フィルム
ａ：周縁シール部
【図１】
0006578788.tif 000002